(57)【要約】【課題】バス、トラック、配送車、タクシー、一般乗用車などの移動体のボディの一部に液晶ディスプレイ等から構成される表示装置を設け、その表示装置にネットワーク経由で各種の広告情報を送って表示させる広告情報表示システムを提供する。【解決手段】本発明の広告情報表示システム（１０００）は、ボディの表面の一部に表示手段（２０００）を備える移動体（１０、２０、３０）と、広告情報を格納するサーバ（４０、６０）と、前記移動体と前記サーバとを接続するネットワーク（７０）と、を備え、前記表示手段は、前記サーバから前記ネットワークを介して前記広告情報を受け取り、その広告情報を表示することを特徴とする。【選択図】図１
2010134143.tif 000002
【特許請求の範囲】
【請求項１】
ボディの表面の一部に表示手段を備える移動体と、
広告情報を格納するサーバと、
前記移動体と前記サーバとを接続するネットワークと、
を備え、
前記表示手段は、前記サーバから前記ネットワークを介して前記広告情報を受け取り、その広告情報を表示することを特徴とする広告情報表示システム。
【請求項２】
前記ネットワークに接続された１つまたは複数の端末をさらに備え、その端末から前記サーバへ前記広告情報の観察者に関する情報を送ることが可能なことを特徴とする請求項１に記載の広告情報表示システム。
【請求項３】
前記サーバは、
前記端末から受け取った前記観察者に関する情報を格納するデータベース手段と、
前記受け取った観察者に関する情報に統計的処理を施す統計分析手段と、
前記統計的処理を施した情報を表示するディスプレイ手段と、
を備えることを特徴とする請求項２に記載の広告情報表示システム。
【請求項４】
前記表示手段は前記移動体のボディの背面に設置され、
前記表示手段は前記移動体の前方に設置された撮像手段と、前記広告情報と、前記撮像手段が撮影した風景画像と、予め用意した所定の画像との中から何れかを選択的に表示する選択手段と、をさらに備えることを特徴とする請求項１ないし３の何れか一項に記載の広告情報表示システム。
【請求項５】
前記表示手段は、
前記移動体の現在位置を提供する現在位置提供手段と、
現在時刻を提供する時刻提供手段と、
前記移動体の現行の速度を提供する車速提供手段と、を備え、
前記選択手段は、前記現在位置、前記現在時刻、前記現行の速度のうちの少なくとも１つに基づいて前記広告情報と前記風景画像との何れかを選択することを特徴とする請求項１ないし４の何れか一項に記載の広告情報表示システム。
【請求項６】
前記広告情報は、カラーまたは白黒の文字、記号、静止画、動画のうちの少なくとも１つを含むことを特徴とする請求項１ないし５の何れか一項に記載の広告情報表示システム。
【請求項７】
前記移動体は複数の移動体を含み、該複数の移動体の表示手段はそれぞれ通信手段を有し、それにより前記移動体の間で前記ネットワークを介して前記広告情報と前記風景画像と前記所定の画像とを転送可能であることを特徴とする請求項４に記載の広告情報表示システム。
【発明の詳細な説明】
【技術分野】
【０００１】
本発明は広告情報表示システムに関し、より詳細には、バス、トラック、配送車、タクシーなどの移動体のボディに液晶ディスプレイ等から構成される表示装置を設け、その表示装置にネットワーク経由で所定の広告情報を送って表示させる広告情報表示システムに関する。
【背景技術】
【０００２】
街頭には多くの広告看板が設置されている。これらの広告は所定の商品を宣伝する目的で設けられているため、不特定多数の人々に観察されることが好ましい。しかし、実際にはその設置場所に依存して観察者の人数、性別、年代、職業などが限定されてしまう。
【０００３】
解決策としては、広告を特許文献１のように自動車や電車などの移動体の本体の一部に取り付ければよい。自動車や電車は広範なエリアを移動するため、より多くの人に広告が観測されることを期待できる。
【特許文献１】特開２００４−２５８２５４
【特許文献２】特開２００６−０５３１８７
【発明の開示】
【発明が解決しようとする課題】
【０００４】
しかし、特許文献１では、移動体に取り付けられた広告を他の広告に交換する際には、広告を作成および交換する手間と費用が発生してしまう。
【０００５】
一方、特許文献２は、ＣＲＴ、ＬＣＤ、ＰＤＰなどのディスプレイ装置からなる表示装置を移動体に取り付け、所定の広告情報を該表示装置に表示させる移動体広告システムを開示している。これにより、広告を交換する手間は省け、簡単迅速かつ安価に広告を製作することができる。
【０００６】
特許文献２では、広告情報を各移動体にＤＶＤ−ＲＷなどの記録媒体を介して供給している。したがって、移動体の数が多くなるとこの記録媒体に広告情報をコピーする手間や、記録媒体の費用も無視できなくなる。
【０００７】
さらに、移動体に設置する広告を決定するに当り、その広告を観察する人の数、あるいは観察する人の性別、年代、職業などの情報が必要である。しかし、上記特許文献１および２は、この情報を取得する方法について教示も示唆もしていない。
【０００８】
本発明は上記の不都合を考慮して創案されたものであり、本発明の目的は、バス、トラック、配送車、タクシーなどの移動体のボディの一部に液晶ディスプレイ等から構成される表示装置を設け、その表示装置にネットワーク経由で各種の広告情報を送って表示させる広告情報表示システムを提供することである。本発明の別の目的は、移動体が表示する広告情報を観察した観察者に関する情報を収集し、その情報に統計的処理を施すことが可能な広告情報表示システムを提供することである。
【課題を解決するための手段】
【０００９】
前記課題を解決するために創案された請求項１の発明は、
（ａ）ボディの表面の一部に表示手段を備える移動体と、
（ｂ）広告情報を格納するサーバと、
（ｃ）前記移動体と前記サーバとを接続するネットワークと、
を備え、
前記表示手段は、前記サーバから前記ネットワークを介して前記広告情報を受け取り、その広告情報を表示することを特徴とする広告情報表示システムである。
【００１０】
前記課題を解決するために創案された請求項２の発明は、請求項１に記載の広告情報表示システムが、
（ｄ）前記ネットワークに接続された１つまたは複数の端末
をさらに備え、その端末から前記サーバへ前記広告情報の観察者に関する情報を送ることが可能なことを特徴とする。
【００１１】
前記課題を解決するために創案された請求項３の発明は、請求項２に記載の広告情報表示システムにおいて、
前記サーバが、
（ｅ）前記端末から受け取った前記観察者に関する情報を格納するデータベース手段と、
（ｆ）前記受け取った観察者に関する情報に統計的処理を施す統計分析手段と、
（ｇ）前記統計的処理を施した情報を表示するディスプレイ手段と、
を備えることを特徴とする。
【００１２】
前記課題を解決するために創案された請求項４の発明は、請求項１ないし３の何れか一項に記載の広告情報表示システムにおいて、
前記表示手段は前記移動体のボディの背面に設置され、
前記表示手段は、
（ｈ）前記移動体の前方に設置された撮像手段と、
（ｉ）前記広告情報と、前記撮像手段が撮影した風景画像と、予め用意した所定の画像との中から何れかを選択的に表示する選択手段と、
をさらに備えることを特徴とする。
【００１３】
前記課題を解決するために創案された請求項５の発明は、請求項１ないし４の何れか一項に記載の広告情報表示システムにおいて、
（ｊ）前記表示装置は、
（ｋ）前記移動体の現在位置を提供する現在位置提供手段と、
（ｌ）現在時刻を提供する時刻提供手段と、
（ｍ）前記移動体の現行の速度を提供する車速提供手段と、を備え、
前記選択手段は、前記現在位置、前記現在時刻、前記現行の速度のうちの少なくとも１つに基づいて前記広告情報と前記風景画像との何れかを選択することを特徴とする。
【００１４】
前記課題を解決するために創案された請求項６の発明は、請求項１ないし５の何れか一項に記載の広告情報表示システムにおいて、
前記広告情報は、カラーまたは白黒の文字、記号、静止画、動画のうちの少なくとも１つを含むことを特徴とする。
【００１５】
前記課題を解決するために創案された請求項７の発明は、請求項４に記載の広告情報表示システムにおいて、
前記移動体は複数の移動体を含み、該複数の移動体の表示手段はそれぞれ通信手段を有し、それにより前記移動体の間で前記ネットワークを介して前記広告情報と前記風景画像と前記所定の画像とを転送可能であることを特徴とする。
【００１６】
請求項１において、「移動体」とは、例えばトラック、バス、配送車、タクシー等の商用車や自家用車等などの自動車全般を示す。また、「広告情報」とは、その広告主である団体が自身の商品や興行物等を宣伝するための情報である。
【００１７】
請求項１のシステムでは、移動体の表示手段が表示する広告情報は、サーバからネットワーク経由で送られる。そのため、表示する広告情報を容易に、かつ迅速に変更することが可能である。
【００１８】
請求項２のシステムにより、端末から広告情報の観察者に関する情報を入手することができる。この情報を参考にして、広告情報の広告主、広告情報の内容、広告料金などを決定することができる。
【００１９】
請求項３のシステムにより、観察者に関する情報を統計的手法で分析し、グラフ等でビジュアル化して表示させることが可能である。
【００２０】
請求項４のシステムにより、移動体の後ろを走行する自動車の運転手に、該移動体の前方の風景画像を提供することができる。移動体がバス、トラック、配送車など高い車高を有する場合、その後ろを走行する自動車の運転手は前方の交通状況が分からずストレスを感じてしまう。しかし、本発明のシステムにより、当該運転手のストレスは大きく緩和され、交通安全に寄与することができる。さらに、移動体の管理者や運転手等が予め撮影または作成した画像等を適宜表示させることもできる。
【００２１】
請求項５のシステムにより、移動体の現在位置およびその速度、現在時刻などの周囲環境に応じて広告情報と風景画像のうちの最適な方を選択することができる。
【００２２】
請求項６のシステムにより、ＴＶや雑誌等で紹介される広告と同レベルの広告情報を提供することができる。
【００２３】
請求項７のシステムにより、移動体同士で前記広告情報および風景画像などの情報をやり取りすることが可能となる。そのため、例えば、ある移動体がその前方を走行する他の移動体が作成した風景画像を取得して、自身の表示手段に表示させるなど、よりフレキシブルな適応が可能となる。
【発明の効果】
【００２４】
本発明によって、移動体のボディの一部に表示装置を設け、その表示装置にネットワーク経由で各種の広告情報を送って表示させる広告情報表示システムを提供することが可能となる。さらに、当該移動体が表示する広告情報を観察した観察者に関する情報を収集し、その情報に統計的処理を施すことが可能となる。
【発明を実施するための最良の形態】
【００２５】
添付の図面を参照して、以下に本発明の一実施形態に係る広告情報表示システムについて説明する。
図１は、本発明の一実施形態に係る広告情報表示システム１０００の概略図である。このシステムは、表示機能を有する移動体に所定の広告情報をネットワーク経由で送り、該移動体にその広告情報を表示させることを目的とし、表示機能を有する移動体１０、２０、３０と、この移動体にそれぞれ対応する基地局１０ａ、２０ａ、３０ａと、コンテンツサーバ４０と、端末５０と、その端末５０に対応する端末用基地局５０ａと、グローバルマネージャ６０と、これらの構成部材をデータ通信可能に相互接続するネットワーク７０と、を備える。
【００２６】
なお、本実施形態において、「移動体」とはバス、トラック、配送車、タクシー、自家用車を含む自動車全般に該当し、「広告情報」は広告主である団体が提供する商品等を宣伝するための情報であり、静止画像、動画像、文字等から構成される。また、その広告主から移動体の所有者へ契約に基づいた広告料が支払われているものとする。
当該広告情報を観察した人を「観察者」と称し、その観察者に関する情報（人数、性別、年代、職業、趣味など）を「観察者情報」とする。さらに、移動車に設置した撮像部で撮影した画像情報を「風景画像」と称する。
【００２７】
また、本実施形態では、広告情報と風景画像には白黒画像を用いる。これは、現行の法規制に準拠するためであり、カラー画像を用いると移動体１０の後ろを走行する自動車の運転手がブレーキランプやハザードランプと混同して危険である。しかし、法規制および安全性に問題がなければカラー画像を用いてもよい。
【００２８】
以下、図１の広告情報表示システム１０００の構成要素について説明する。
［移動体］
移動体１０、２０、３０は広告情報を表示するための画像表示装置２０００（図２および図３参照）を備え、基地局１０ａ、２０ａ、３０ａからそれぞれ無線で広告情報を受信する。なお、本実施形態では３台の移動体が使用されているが、移動体の数は限定されるものではなく任意でよい。
【００２９】
［基地局］
基地局１０ａ、２０ａ、３０ａは、コンテンツサーバ４０からネットワーク７０経由で受け取った広告情報を該当する移動体に送るための通信装置であり、この送信には携帯電話回線、ＰＨＳ回線、あるいはＩＥＥＥ８０２．１１規格に準拠したＷＬＡＮ等を用いてよい。また、基地局１０ａ、２０ａ、３０ａはそれぞれ割り当てられた担当エリア内に存在する移動体と通信を行う。例えば、移動体１０が基地局１０ａの担当エリア内にある場合には、基地局１０ａが移動体１０に広告情報を送る。しかし、移動体１０が基地局２０ａの担当エリアに移動した場合には基地局２０ａが移動体１０に広告情報を送る。さらに、基地局１０ａの担当エリア内に２つの移動体１０、２０がある場合には、基地局１０ａが２つの移動体１０、２０にそれぞれ広告情報を送る。
【００３０】
［コンテンツサーバ］
コンテンツサーバ４０は、既存のコンピュータ、サーバなどの情報処理装置から構成され、移動体１０、２０、３０に表示させるための広告情報を格納し、グローバルマネージャ６０からのコマンドに応じてこの広告情報を該当する移動体にネットワーク７０経由で送付する。
【００３１】
［端末］
端末５０は、移動体１０、２０、３０を所有する団体が管理するＷｅｂサイトにアクセスするための通信装置である。主に、広告情報の観察者が会員登録する目的で使用される。なお、会員登録の詳細については後述する。
また、図１では、端末５０は携帯電話で示されているが、端末５０は携帯電話装置に限定されるものではない。代わりに通信機能を有するＰＤＡ、コンピュータなどを用いてもよい。
【００３２】
［グローバルマネージャ］
グローバルマネージャ６０は、広告情報表示システム１０００全体を制御する機能を有し、既存のサーバ、コンピュータなどの情報処理装置で実装される。グローバルマネージャ６０はデータベース機能を備え、どの広告情報をどの移動体に表示させるかを決定する権限を有する。さらに、詳細は後述するが、移動体１０、２０、３０を所有する団体が管理するＷｅｂサイトを格納し、そのサイトを通じて端末５０から観察者情報を受け取り、その情報に統計的処理を施し、ビジュアル化する機能も有する。
なお、このグローバルマネージャ６０の機能は、コンテンツサーバ４０によって実行されてもよい。その場合、コンテンツサーバ４０とグローバルマネージャ６０とは、単一の構成要素となる。
【００３３】
［ネットワーク］
上記の構成要素を通信可能に相互接続するためのネット網であり、インターネット、イーサネット（登録商標）、広域イーサネットなどを用いてよい。
【００３４】
次に、図２および図３を参照して、図１の移動体１０およびその移動体１０が備える画像表示装置２０００の構成について詳細を説明する。なお、移動体１０、２０、３０はすべて同一の構成を有しているため、移動体１０の構成のみを説明し、移動体２０、３０の構成についての説明は省略する。
図２は、移動体１０の外観を示す図であり、（ａ）は側面図であり、（ｂ）は背面図である。この図に示す移動体１０は、宅配便業者などが使用する配送車に該当するが、本発明はそれに限定するものではなく、移動体１０には任意の自動車を用いてよい。ただし、後述する画像表示装置２０００のディスプレイ部２００を設置可能なスペースがボディの一部に確保されている必要がある。
【００３５】
図３は、移動体１０が有する画像表示装置２０００の構成を示す。図３において一点鎖線は移動体１０のボディを示す。したがって、部材１００、１３０、１４０、２００は移動体１０のボディの外部に露出していることを意味する。
部材１００は無線アンテナ部であり、移動体１０のルーフの所定の箇所に取り付けられている。部材１３０は撮像部であり、移動体１０のルーフの前方に取り付けられている。部材２００はディスプレイ部であり、移動体１０のボディ背面の所定の箇所に取り付けられている。部材１４０はＧＰＳアンテナ部であり、移動体１０のルーフまたは背面に設置されている。また、移動体１０の背面のディプレイ部２００の横には識別番号プレート３０００が取り付けられている。これは、移動体を識別するためのものであり、このプレートには数桁の文字や数字が記載されている。これはすべての移動体に一意に付与されねばならない。なお、識別番号プレート３０００を用いる代わりに、識別番号を移動体１０の背面に直接記載してもよい。
【００３６】
続いて、画像表示装置２０００の構成を説明する。この装置は、無線アンテナ部１００と、広告情報復調部１１０と、広告情報バッファ部１２０と、撮像部１３０と、ＧＰＳアンテナ部１４０と、現在位置検出部１５０と、タイマ部１６０と、車速パルス取得部１７０と、画像選択部１８０と、画像決定部１９０と、ディスプレイ部２００と、プログラム記憶部２１０と、を備える。
【００３７】
［無線アンテナ部］
無線アンテナ部１００は、基地局１０ａ、２０ａ、３０ａから送られる無線信号を受信するためのアンテナである。ここで受信する信号は、コンテンツサーバ４０からネットワーク７０経由で送られる広告情報である。なお、無線アンテナ部１００は、広告情報復調部１１０に接続されており、受信した電波は電流に変換され、広告情報復調部１１０に送られる。
【００３８】
［広告情報復調部］
広告情報復調部１１０は無線アンテナ部１００から送られた電流を電圧に変換し、さらに後段とインターフェース可能な所定の形式を有する電気信号に復調する。
【００３９】
［広告情報バッファ部］
広告情報バッファ部１２０は、ハードディスク、光ディスク、磁気ディスク等から構成され、広告情報復調部１１０が復調した信号を格納する。
【００４０】
［撮像部］
撮像部１３０は、移動体１０の前方の風景を所定のデジタル形式の動画像として取り込むためのものであり、市販のデジタル式ムービーカメラ等を用いてよい。
【００４１】
［ＧＰＳアンテナ部］
ＧＰＳアンテナ部１４０は、移動体１０の現在位置を測定する目的でＧＰＳ衛星からの電波を受信するためのアンテナである。ＧＰＳアンテナ部１４０は現在位置検出部１５０に接続されており、受信した電波は電気信号に変換され、現在位置検出部１５０に送られる。
【００４２】
［現在位置検出部］
現在位置検出部１５０は、ＧＰＳアンテナ部１４０から送られた電気信号を基に移動体１０の現在位置を求め、その現在位置を示す信号を接続されている画像決定部１９０に送る。
【００４３】
［タイマ部］
タイマ部１６０は現在時刻を取得する機能を有し、取得した現在時刻を接続されている画像決定部１９０に送る。
【００４４】
［車速パルス取得部］
車速パルス取得部１７０は、移動体１０のエンジンコンピュータと接続されており、このコンピュータから車速パルスを取り出して移動体１０の現行の速度を求め、その速度を示す信号を画像決定部１９０に送る。
【００４５】
［画像選択部］
画像選択部１８０は、広告情報バッファ部１２０に格納されている広告情報と、撮像部１３０からリアルタイムで送られる風景画像との何れかを選択して、ディスプレイ部２００に送る機能を有する。この画像選択は画像決定部１９０からのコマンドに従って行われる。
【００４６】
［画像決定部］
画像決定部１９０は、画像切換部１８０に上述のコマンドを送って、ディスプレイ部２００に表示される画像を決定する機能を有する。なお、決定に際しては、以下の条件を考慮することができる。
１）現在位置検出部１５０から受け取る移動体１０の現在位置を基に、移動体１０が配送ルート内のどのエリアを走行しているかを求める。そして、そのエリアが例えば、渋滞する場所ならば広告情報を選択するコマンドを生成し、交通がスムーズな場所ならば風景画像を選択するコマンドを生成する。
２）タイマ部１６０から受け取る現在時刻を基に表示する画像を決定する。例えば、午前中は風景画像を、そして午後は広告情報を選択する。あるいは、風景画像を５分間選択した後に広告情報を１分間選択するサイクルを繰り返す。
３）車速パルス取得部１７０から受け取る移動体１０の現行の速度に応じて表示する画像を決定する。例えば、移動体１０が時速１０ｋｍ／ｈｒ以上で走行している場合には風景画像を選択し、時速１０ｋｍ／ｈｒ未満になったら広告情報を選択する。
４）上記１）〜３）の条件の任意の組み合わせ。
【００４７】
［ディスプレイ部］
画像選択部１８０が選択した画像を表示するためのものであり、図２（ｂ）に示すように移動体１０の背面に取り付けられる。ディスプレイ部２００には、特に限定するものではないが、その取り付け性、視認性、価格などを考慮すると、液晶ディスプレイを用いることが好ましい。また、車の走行による振動や背面のドアを開閉に伴う衝撃によってディスプレイ部２００が取り外れないよう所定構造のアタッチメントを用いてしっかりと固定する必要がある。また、破損の防止や排気ガスからの保護のため、透明のプラスチック等で形成された保護カバーで表面を覆うことが好ましい。
【００４８】
［プログラム記憶部］
プログラム記憶部２１０は、画像決定部１９０を制御するためのプログラムを格納したものであり、ハードディスク、光ディスク、磁気ディスク等で構成される。画像を選択する条件はこのプログラムによって決定される。
【００４９】
図４は、移動体１０の後ろを走行する自動車の運転手から該移動体１０の画像表示装置２０００を見た場合の視界を示す。
図４（ａ）は広告情報を表示した場合であり、（ｂ）は風景画像を表示した場合である。図４（ａ）のように画像表示装置２０００のディスプレイ部２００に広告を表示すれば、後ろを走行する自動車の運転手および助手席の同乗者に好適に観察される。また、図示のような配送車は車高が高いため、後ろを走行する自動車の運転手は、前方の視界が制限され、前方の状況がわからずにストレスを感じてしまう。しかし、図４（ｂ）のように画像表示装置２０００のディスプレイ部２００に、移動体１０の前方の風景を示す風景画像を表示させることで、そのストレスが緩和される。
【００５０】
次に、上記の画像表示装置２０００を有する広告情報表示システム１０００に所定の画像を表示させる手順を図５のフロー図を参照して説明する。画像を表示させる手順は、コンテンツサーバ４０が広告情報を移動体１０に送付する手順と、移動体１０の画像表示装置２０００が広告情報と風景画像との何れかを選択する手順とに大別される。前者の手順を図５（ａ）に、後者の手順を図５（ｂ）に示す。
【００５１】
最初に図５（ａ）を参照して、広告情報を移動体１０に送付する手順を説明する。
まず、グローバルマネージャ６０が移動体１０、２０、３０に何れの広告情報を表示させるかを決定する（ステップＳ１０）。そして、この決定に従い、所定の広告情報を該当する移動体に送るためのコマンドをコンテンツサーバ４０に送る。コンテンツサーバ４０は、そのコマンドに従い、自身が格納する広告情報から該当のものを取り出して、ネットワーク７０経由で移動体１０、２０、３０に送付する（ステップＳ１１）。
【００５２】
広告情報は基地局１０ａ、２０ａ、３０ａで電波信号に変換され、移動体１０、２０、３０が備える画像表示装置２０００の無線アンテナ部１００で受信され（ステップＳ１２）、広告情報復調部１１０で電気信号に復調される。次いで、復調された広告情報は広告情報バッファ部１２０に格納される（ステップＳ１３）。
以降、広告情報が変更される毎に上記ステップＳ１０〜ステップＳ１３の手順が行われる。
【００５３】
以上が広告情報を移動体１０に送付する手順である。次に、図５（ｂ）を参照して広告情報と風景画像との何れかを選択する手順を説明する。
【００５４】
移動体１０の画像表示装置２０００内の画像決定部１９０が、現在位置検出部１５０、タイマ部１６０、車速パルス取得部１７０からそれぞれ現在位置、現在時刻、現行の車速を取得する（ステップＳ２０）。次いで、画像決定部１９０は、これらの取得した情報を基に、広告情報バッファ部１２０に格納された広告情報を表示させるかどうかを判断する（ステップＳ２１）。なお、この判断は、プログラム記憶部２１０に格納されたプログラムで設定された各種の条件に従って行われる。
【００５５】
広告情報を表示すべきと判断した場合には（ステップＳ２１で「ＹＥＳ」）、画像決定部１９０は画像選択部１８０に広告情報を選択するコマンドを送る。画像選択部１８０はそのコマンドに応じて広告情報バッファ部１２０に格納された広告情報を取得し、ディスプレイ部２００に送る。その結果、広告情報がディスプレイ部２００に表示される（ステップＳ２２）。
【００５６】
一方、広告情報を表示すべきではないと判断した場合には（ステップＳ２１で「ＮＯ」）、画像決定部１９０は画像選択部１８０に風景画像を選択するコマンドを送る。画像選択部１８０はそのコマンドに応じて撮像部１３０から常時送られる風景画像をディスプレイ部２００に転送する。その結果、風景画像がディスプレイ部２００に表示される（ステップＳ２３）。以下、ステップＳ２０からステップＳ２２またはＳ２３の手順が繰り返される。
なお、上述した図５（ａ）の手順と、（ｂ）の手順とは相互に独立して行われてよい。
【００５７】
以上、本発明の一実施形態に係る広告情報表示システム１０００が所定の画像を表示する機能および手順について説明した。さらに、広告情報表示システム１０００は、これらの機能に加え、さらに表示した広告情報を観察した観察者から様々な情報を取得し、かつその情報を分析する機能も有している。以下、この機能について説明する。
【００５８】
まず、前提条件として、図６に示すように、ディスプレイ部２００に表示された広告情報が所定の文字およびＵＲＬ情報を含む必要がある。このＵＲＬのサイトは、移動体１０を所有する配送会社等の団体が管理するものであり、グローバルマネージャ６０内に格納されている。「右の番号」とは、移動体１０の識別番号である（図４（ａ）（ｂ）参照）。プレゼントする商品はこの広告情報の広告主である企業等の団体が提供する商品でよい。
【００５９】
広告情報内のこの文字情報を観察した観察者は、商品を目当てに上記ＵＲＬのサイトにアクセスする。そして、当該サイトは観察者に移動体１０の識別番号の入力と、会員登録を要求する。観察者はその要求に従い識別暗号の入力と会員登録に必要な事項の入力を行う。代替として、会員登録を要求せず匿名のアンケート形式で必要な事項の入力を要求してもよい。
なお、この手続きは図１に示す端末５０から行われる。また、上記会員登録のために入力される事項が「観察者情報」である。
【００６０】
また、図示しないが、広告情報にＱＲコードを付与してもよい。端末５０がカメラを搭載している場合、観察者がこのカメラで当該ＱＲコードを撮影することにより該当のサイトに接続することが可能となる。
さらに、撮影した広告情報の画像を接続したサイトに送付し、グローバルマネージャ６０がテンプレートマッチング等の周知の画像処理技術でその画像を識別し、該当する移動体を特定するように構成することもできる。この場合には識別番号プレート３０００に記載された識別番号を入力する手順が省略されるため、観察者はより容易に、かつ迅速に所定の事項を入力することができる。
【００６１】
図７は、図１のグローバルマネージャ６０の機能要素を示したブロック図である。図示のように、グローバルマネージャ６０は、観察者情報入力部６１０と、観察者情報記憶部６２０と、観察者情報分析部６３０と、モニタ部６４０とを有する。以下これらの機能要素について説明する。
【００６２】
［観察者情報入力部］
観察者情報入力部６１０は、端末５０からネットワーク７０経由で送られる観察者情報を受け取る機能を有する。具体的には、上記のＵＲＬのサイトに提供される会員登録フォームの形態で実装され、観察者が端末５０を用いてこのフォームに所定の項目を入力する。この受け取った情報は観察者情報記憶部６２０に書き込まれる。ここで、入力される情報は、移動体の識別番号、並びに観察者の性別、年齢（または年代）、職業、趣味、メールアドレスなどが挙げられる。
【００６３】
［観察者情報記憶部］
観察者情報記憶部６２０は、観察者情報入力部６１０が受け取った観察者情報を格納する機能を有し、ハードディスク、光ディスク、磁気ディスクなどで実装される。
【００６４】
［観察者情報分析部］
観察者情報分析部６３０は、観察者情報記憶部６２０に格納された観察者情報に対して各種の統計的処理を施し、さらにグラフ化する機能を有する。
図８は、観察者情報分析部６３０によって作成された表の例である。図８（ａ）は各移動体と、その移動体の広告情報を観察した観察者数との関係をそれぞれ示したデータであり、（ｂ）〜（ｄ）については移動体ごとに個別に作成されるデータであり、この例は識別番号Ａ００１の移動体の広告情報を観察した観察者に対しての詳細を示している。
図９は、図８の各表のデータを円グラフで示したものである。
【００６５】
［モニタ部］
モニタ部６４０は、観察者情報分析部６３０が作成した表やグラフを表示する機能を有し、ＣＲＴ、液晶ディスプレイ、プラズマディスプレイなどで実装される。
【００６６】
以上の機能によって、広告情報表示システム１０００における移動体１０、２０、３０の画像表示装置２０００に表示させた広告情報に対する観察者の情報を取得することが可能となる。これらの情報は、各移動体の広告情報の広告主を検討する上で、あるいはその広告料金を決定する上で有益な資料となる。
【００６７】
以上に渡って、本発明の一実施形態に係る広告情報表示システム１０００の機能について説明したが、本発明の内容はこの実施形態に限定されるものではない。例えば、本実施形態では、移動体が単一の広告情報を取り扱っているが、複数の広告情報を同時に扱ってもよい。この場合には、画像決定部１９０と画像選択部１８０は、所定の条件に従って複数の広告情報と風景画像から所望のものを選択して、ディスプレイ部２００に表示させる。さらに、広告情報や風景画像に加えて、移動体を所有する団体等が撮影または作成した任意の画像等をディスプレイ部２００に表示させることも可能である。
【００６８】
さらに、本実施形態において広告情報を表示するための画像表示装置２０００のディスプレイ部２００は、移動体１０、２０、３０のボディの背面に設置しているが、本発明においるディスプレイ部の設置箇所は移動体ボディの背面に限定されるものではなく、当該ボディの一部に設置されていればよい。代替例としてはボディの左側面に設置してもよい。この場合、広告観察者は移動体の左側の歩道にいる歩行者となる。この場合、風景画像は不要となり、画像表示装置２０００の撮像部１３０は削除してよい。画像選択部１８０は、ディスプレイ部２００に広告情報のみを表示させるか、あるいは広告情報と任意の画像等とを選択的に表示させればよい。
【００６９】
上記に実施形態に加えて、移動体１０、２０、３０の間で情報のやり取りが可能な構成としてもよい。この場合、移動体１０、２０、３０と基地局１０ａ、２０ａ、３０ａとは双方向で通信が可能である。
例えば、移動体１０が所定のエリアを走行中に、移動体１０の運転手が前方を走行中の移動体２０を発見したと仮定する。そのときに移動体１０の運転手は画像表示装置２０００を用いて移動体２０が取得した風景画像を転送するようリクエストをする。そのリクエストはネットワーク７０経由でグローバルマネージャ６０に送られ、グローバルマネージャ６０が受け取ったリクエストに応じて、移動体２０の風景画像を入手し、移動体１０に転送する。移動体１０の画像表示装置２０００は移動体２０の風景画像を広告情報バッファ部１２０に格納し、画像決定部１９０の決定に基づいて選択的にディスプレイ部２００に表示される。その結果、移動体１０の後方を走行する自動車の運転手は、２種の異なる前方風景を観察することができ、より詳細に前方の交通情報を把握することが可能となる。
【００７０】
なお、本発明の一実施形態に係る広告情報表示システム１０００が提供する機能は、特定のハードウェア資源またはソフトウェア処理に限定されないことに留意されたい。すなわち、本発明の一実施形態に係る画像表示装置２０００およびグローバルマネージャ６０はその機能を実現できる限り、如何なるハードウェア（電子回路等）、ソフトウェア（プログラム）、あるいはそれらの組み合わせ等を用いてよい。
【００７１】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【図面の簡単な説明】
【００７２】
【図１】本発明の一実施形態に係る広告情報表示システム１０００の構成を示す図である。
【図２】広告情報表示システム１０００の移動体１０、２０、３０の外観を示す図であり、（ａ）はその側面図で、（ｂ）は背面図である。
【図３】広告情報表示システム１０００の画像表示装置２０００の構成を示す図である。
【図４】移動体１０、２０、３０の画像表示装置２０００を後方の自動車の運転席から見た図であり、（ａ）は画像表示装置２０００が広告情報を表示した場合であって、（ｂ）は風景画像を表示した場合である。
【図５】広告情報表示システム１０００が画像情報を表示する手順を示すフロー図であって、（ａ）は広告情報を移動体１０に送付する手順であって、（ｂ）は広告情報と風景画像との何れかを選択する手順である。
【図６】所定の文字情報を含む広告情報の例を示す図である。
【図７】広告情報表示システム１０００のグローバルマネージャ６０の構成を示す図である。
【図８】グローバルマネージャ６０が作成した観察者情報の表であり、（ａ）は移動体に関する情報と観察者情報との関係を示したデータであり、（ｂ）ないし（ｄ）については移動体ごとに作成されるデータでる。
【図９】グローバルマネージャ６０が作成した観察者情報の円グラフであり、（ａ）ないし（ｄ）はそれぞれ図７（ａ）ないし（ｄ）に対応している。
【符号の説明】
【００７３】
１０    移動体
２０    移動体
３０    移動体
１０ａ  基地局
２０ａ  基地局
３０ａ  基地局
４０    コンテンツサーバ
５０    端末
５０ａ  端末用基地局
６０    グローバルマネージャ
７０    ネットワーク
１００  無線アンテナ部
１１０  広告情報復調部
１２０  広告情報バッファ部
１３０  撮像部
１４０  ＧＰＳアンテナ部
１５０  現在位置検出部
１６０  タイマ部
１７０  車速パルス取得部
１８０  画像選択部
１９０  画像決定部
２００  ディスプレイ部
２１０  プログラム記憶部
６１０  観察者情報入力部
６２０  観察者情報記憶部
６３０  観察者情報分析部
６４０  モニタ部
１０００  広告情報表示システム
２０００  画像表示装置
【図１】
2010134143.tif 000003
【図２】
2010134143.tif 000004
【図３】
2010134143.tif 000005
【図４】
2010134143.tif 000006
【図５】
2010134143.tif 000007
【図６】
2010134143.tif 000008
【図７】
2010134143.tif 000009
【図８】
2010134143.tif 000010
【図９】
2010134143.tif 000011